【事件の表示】
　特願２００７−１１２５８３号「遊技機」拒絶査定不服審判事件〔平成２０年１１月６日出願公開、特開２００８−２６４２８０号〕について、次のとおり審決する。
【結　論】
　本件審判の請求は、成り立たない。
【理　由】
１　手続の経緯の概要
　本願は、平成１９年４月２３日の出願であって、平成２４年４月２３日付けで拒絶の理由が通知され、同年７月６日に意見書及び手続補正書が提出され、平成２５年１月１０日付けで最後の拒絶の理由が通知され、同年３月１４日に意見書及び手続補正書が提出されたところ、同年８月８日付けで、同年３月１４日に提出された手続補正書でした補正の却下の決定がなされ、同日付けで拒絶査定がなされ（発送日：同年８月２０日）、それに対し、同年１１月２０日に拒絶査定不服審判の請求がなされると同時に手続補正書が提出され、当審にてさらに、平成２６年１１月２１日付けで拒絶理由を通知したところ、平成２７年１月２６日付けで意見書及び手続補正書が提出されたものである。
　
２　本願発明
　本願の請求項１に係る発明（以下「本願発明」という。）は、平成２７年１月２６日付け手続補正書により補正された特許請求の範囲の請求項１に記載された事項により特定される次のとおりのものである。
「遊技媒体の払出しを行う払出手段を備えた遊技機であって、
　前記払出手段から払出された遊技媒体の払出完了個数情報を把握する完了個数把握手段と、
　前記払出完了個数情報に基づく信号を第１の端子から所定の出力形態で出力する完了個数情報出力手段と、
　前記払出手段から払出されるべき遊技媒体の払出予定個数情報を把握する予定個数把握手段と、
　前記払出予定個数情報に基づく信号を第２の端子から所定の出力形態で出力する予定個数情報出力手段とを備え、
　前記払出完了個数情報に基づく信号の出力形態、及び、前記払出予定個数情報に基づく信号の出力形態をそれぞれ任意に設定可能な構成の下、
　前記払出完了個数情報に基づく信号の出力形態と、前記払出予定個数情報に基づく信号の出力形態とを合わせる出力調整手段を備えたことを特徴とする遊技機。」
　
３　刊行物の記載
（１）当審における拒絶の理由に刊行物１として提示された特開２００３−１３５７７９号公報（以下「刊行物１」という。）には、図面とともに以下の事項が記載されている（下線は審決で付した。以下同じ。）。
　　ア　「【特許請求の範囲】
【請求項１】
　
入賞部に遊技球が入賞したことに応答して設定賞球数での賞球払出動作を行う賞球払出制御手段を備えた遊技機において
前記入賞部への入賞に応答して前記賞球払出動作が完了する前にその賞球予定数を把握する賞球予定数把握手段と
この賞球予定数が把握される度にこの賞球予定数を累積更新していく賞球予定総数更新手段と、
前記賞球払出動作が完了する度に実際に払出された賞球数を累積更新していく賞球払出総数更新手段と
所定周期で前記賞球予定総数更新手段による第１の累積更新結果と前記賞球払出総数更新手段による第２の累積更新結果とに基づいて賞球払出状況を把握する賞球払出状況把握手段と、を備えたことを特徴とする遊技機。
・・・
【請求項４】
　遊技機と、この遊技機を管理する遊技機管理装置とを有する遊技機管理システムにおいて、
前記遊技機は、
入賞部への入賞に応答して賞球払出動作が完了する前にその賞球予定数を示す賞球予定信号を遊技機管理装置に送信し
賞球払出動作が完了する度に実際に払出した賞球数を示す賞球信号を遊技機管理装置に送信する送信制御手段
前記遊技機管理装置は、
前記賞球予定信号を受信する度にこの賞球予定信号で示される賞球予定数を累積更新していく賞球予定総数更新手段と、
前記賞球信号を受信する度に実際に払出された賞球払出数を累積更新していく賞球払出総数更新手段と、
所定周期で前記賞球予定総数更新手段による第１の累積更新結果と前記賞球払出総数更新手段による第２の累積更新結果とに基づいて賞球払出状況を把握する賞球払出状況把握手段と、を備えたことを特徴とする遊技機管理システム。」
　
　　イ　「【０００１】
【発明の属する技術分野】本発明は、入賞部に遊技球が入賞したことに応答して設定賞球数での賞球払出し動作を行う賞球払出し制御手段を備えた遊技機およびこの遊技機とこれを管理する遊技機管理装置とを有する遊技機管理システムに関する。
・・・
【発明が解決しようとする課題】しかしながら、このような従来の遊技機にあっては入賞部に遊技球が入賞すると即座に賞球払出動作が完了するものではなく、遊技球の入賞部への入賞時点から時間遅延を生じて賞球払出動作が完了し、特に大役制御時等で多量の遊技球が入賞するため一層この時間遅延が顕著になる。したがって既に総ての賞球払出動作が完了したとして遊技を終えてしまう者がいたり、遊技機の各種の遊技データ等を管理する遊技機管理装置もリアルタイムで賞球払出状況を把握することが難しかった。
【０００３】そこで、本発明は、かかる従来の課題を解決するためになされたもので、
必要な賞球払出動作が総て完了したか否か等の賞球払出状況を把握可能な遊技機
を提供する
　
　　ウ　「【００５６】（遊技機３０００の内部動作）次に図２１等を参照して遊技機３０００側の内部動作について説明する。図２１（ａ）に示すように
賞球予定信号Ｂ１を遊技機管理装置５０００側に送信する
次いで、賞球予定信号Ｂ２を遊技機管理装置５０００側に送信する
一方、賞球信号Ｐ１を遊技機管理装置５０００側に送信する
次いで、賞球信号Ｐ２を遊技機管理装置５０００側に送信する場合には賞球信号累積エリア２０５の値に「１０」を累積する
　
　　エ　「【００６６】（遊技機管理装置５０００）
（構成）
遊技機管理装置５０００は、各遊技機３０００、…、３０００から通信ケーブル４０００を介して送信されてきた遊技データ
　
　　オ　「【００７３】さて、最初の時間Ｔ１の間、
賞球予定信号Ｂ１（５個賞球予定）
賞球予定信号Ｂ２（１０個賞球予定）
賞球信号Ｐ１（５個賞球払出済み）
賞球信号Ｐ２（１０個賞球払出済み）
　
　　カ　上記ウ、オの記載事項、及び、【図１９】、【図２５】の図示内容から、刊行物１には、「
賞球予定信号Ｂ、賞球信号Ｐを各遊技機３０００から、遊技管理装置５０００に個別に送信する
　
　上記ア〜オの記載事項、及び、上記カの認定事項を総合すると、刊行物１には、次の発明が記載されていると認められる（以下「刊行物発明」という。）。
「入賞部に遊技球が入賞したことに応答して設定賞球数での賞球払出動作を行う賞球払出制御手段を備えた遊技機３０００において、
　賞球払出動作が完了する度に実際に払出された賞球数を累積更新していく賞球払出総数更新手段と、
　賞球払出動作が完了する度に実際に払出した賞球数を示す賞球信号を遊技機管理装置５０００に送信する送信制御手段と、
　入賞部への入賞に応答して賞球払出動作が完了する前にその賞球予定数を把握する賞球予定数把握手段と、
　入賞部への入賞に応答して賞球払出動作が完了する前にその賞球予定数を示す賞球予定信号を遊技機管理装置に送信する送信制御手段とを備え、
　遊技データを通信ケーブル４０００を介して遊技機管理装置５０００に送信し、
　遊技機管理装置５０００側に、賞球予定信号Ｂ１（５個賞球予定）、賞球予定信号Ｂ１に次いで、賞球予定信号Ｂ２（１０個賞球予定）を個別に送信し、一方、賞球信号Ｐ１（５個賞球払出済み）、賞球信号Ｐ１に次いで、賞球信号Ｐ２（１０個賞球払出済み）を個別に送信する遊技機。」
　
　
（２）当審における拒絶の理由に刊行物２として提示された特開２００２−２８２４８５号公報（以下「刊行物２」という。）には、図面とともに以下の事項が記載されている。
　
　　ア　「【０００１】
【発明の属する技術分野】本発明は、所定単位数の賞球が確認される毎に所定の信号を外部に出力可能な遊技機に関する。」
　
　　イ　「【０００３】
【発明が解決しようとする課題】しかしながら、上記従来の遊技機では、停電復旧時等に、外部出力用賞球カウンタに初期値である「０」がセットされるので、例えば、外部出力用賞球カウンタのカウンタ値が停電発生前に大きな値であった場合には、外部出力用賞球カウンタのカウンタ値に大きな誤差が生じて、外部出力される賞球数と実際の賞球数との間に大きなズレが生じるという問題点があった。
【０００４】この発明は、上記実状に鑑みなされたもので、停電発生等が原因で、
外部出力される賞球数と実際の賞球数との間に大きなズレが生じることを防止可能な遊技機を提供する
　
　　ウ　「【００５１】なお、この実施の形態では、遊技制御装置２０で所定単位数の賞球排出が確認される毎に遊技制御装置２０から外部の管理装置に賞球排出信号を出力するようにしたが、例えば、排出制御装置３０で所定単位数の賞球排出が確認される毎に排出制御装置３０から外部の管理装置に賞球排出信号を出力するようにしてもよい。また、
この実施の形態では、賞球排出信号の一回の出力に相当する賞球の単位数（所定単位数）を「１０」としたが、これ以外の単位数であってもよい
　
４　対比
　刊行物発明と本願発明とを対比する（以下、「刊行物発明」、「本願発明」を、それぞれ「前者」、「後者」という。）。
　ア　前者における「入賞部に遊技球が入賞したことに応答して設定賞球数での賞球払出動作を行う賞球払出制御手段を備えた遊技機３０００」は、その構成及び機能からみて、後者における「遊技媒体の払出しを行う払出手段を備えた遊技機」に相当する。
　
　イ　前者における「賞球払出動作が完了する度に実際に払出された賞球数を累積更新していく賞球払出総数更新手段」は、賞球払出総数更新手段が実際に払出された賞球数を累積更新するためのものであることから、遊技機が実際に払出された賞球数を個々に把握するための手段を備えることは明らかである。
　したがって、前者における「遊技機」は、後者における「払出手段から払出された遊技媒体の払出完了個数情報を把握する完了個数把握手段」を含むものである。
　
　ウ　前者における「賞球払出動作が完了する度に実際に払出した賞球数を示す賞球信号を遊技機管理装置に送信する送信制御手段」と、後者における「払出完了個数情報に基づく信号を第１の端子から所定の出力形態で出力する完了個数情報出力手段」とを対比する。
　後者における「端子」とは、「電気回路の接続をするため設けた電流の出入口。」（広辞苑第六版）のことである。
　一方、前者において、「実際に払出した賞球数を示す賞球信号」は、「遊技データ」の一種であり、通信ケーブル４０００を介して遊技機管理装置５０００に送信されるものであるから、遊技機には、通信ケーブル４０００に接続される、賞球信号に対応する信号電流の出入口、すなわち、端子が備えられていることは当業者にとって明らかである。
　したがって、両者は、「払出完了個数情報に基づく信号を端子から所定の出力形態で出力する完了個数情報出力手段」である点で共通する。
　
　エ　前者における「入賞部への入賞に応答して賞球払出動作が完了する前にその賞球予定数を把握する賞球予定数把握手段」は、後者における「払出手段から払出されるべき遊技媒体の払出予定個数情報を把握する予定個数把握手段」に相当する。
　
　オ　前者における「入賞部への入賞に応答して賞球払出動作が完了する前にその賞球予定数を示す賞球予定信号を遊技機管理装置５０００に送信する送信制御手段」と、後者における「払出予定個数情報に基づく信号を第２の端子から所定の出力形態で出力する予定個数情報出力手段」とは、上記ウにおいて検討した理由と同様にして、遊技機には、通信ケーブル４０００に接続される、賞球予定信号に対応する信号電流の出入口、すなわち、端子が備えられていることは当業者にとって明らかである。
　したがって、両者は、「払出予定個数情報に基づく信号を端子から所定の出力形態で出力する予定個数情報出力手段」である点で共通する。
　
　カ　前者における「遊技機管理装置５０００側に、賞球予定信号Ｂ１（５個賞球予定）、賞球予定信号Ｂ１に次いで、賞球予定信号Ｂ２（１０個賞球予定）を個別に送信し、一方、賞球信号Ｐ１（５個賞球払出済み）、賞球信号Ｐ１に次いで、賞球信号Ｐ２（１０個賞球払出済み）を個別に送信する」ことと、後者における「払出完了個数情報に基づく信号の出力形態、及び、払出予定個数情報に基づく信号の出力形態をそれぞれ任意に設定可能な構成の下、払出完了個数情報に基づく信号の出力形態と、払出予定個数情報に基づく信号の出力形態とを合わせる出力調整手段を備えたこと」とを対比する。
　前者において、賞球予定信号Ｂ１と賞球信号Ｐ１とは、５個賞球毎に出力される信号という、出力形態が合わせられた信号であり、賞球予定信号Ｂ２と賞球信号Ｐ２とは、１０個賞球毎に出力される信号という、出力形態が合わせられた信号であるから、両者は、「払出完了個数情報に基づく信号の出力形態と、払出予定個数情報に基づく信号の出力形態とを合わせる出力調整手段を備えたこと」で共通する。
　
　キ　上記ア〜カより、前者と後者とは、
「遊技媒体の払出しを行う払出手段を備えた遊技機であって、
　前記払出手段から払出された遊技媒体の払出完了個数情報を把握する完了個数把握手段と、
　前記払出完了個数情報に基づく信号を端子から所定の出力形態で出力する完了個数情報出力手段と、
　前記払出手段から払出されるべき遊技媒体の払出予定個数情報を把握する予定個数把握手段と、
　前記払出予定個数情報に基づく信号を端子から所定の出力形態で出力する予定個数情報出力手段とを備え、
　前記払出完了個数情報に基づく信号の出力形態と、前記払出予定個数情報に基づく信号の出力形態とを合わせる出力調整手段を備えた遊技機。」
　の点で一致し、以下の点で相違する。
　
［相違点１］
　完了個数情報出力手段と予定個数情報出力手段とに設けられた端子に関して、本願発明は別々の第１の端子、第２の端子であるのに対して、刊行物発明は、別々の端子であるか否か明らかでない点。
　
［相違点２］
　払出完了個数情報に基づく信号の出力形態と、払出予定個数情報に基づく信号の出力形態とを合わせる出力調整手段に関して、本願発明は、払出完了個数情報に基づく信号の出力形態、及び、払出予定個数情報に基づく信号の出力形態をそれぞれ任意に設定可能な構成を前提とするものであるのに対して、刊行物発明は、当該発明特定事項を具備するか否か定かでない点。
　
５　当審の判断
（１）上記相違点１について検討する。
　刊行物発明は、賞球予定信号Ｂ、賞球信号Ｐを各遊技機３０００から、遊技管理装置５０００に個別に送信するものである。
　一方、情報処理の技術分野において、複数の情報をパラレル信号により別々の端子から対応する信号線に出力させることは、本願出願前から慣用的に行われていた技術事項である。
　さらに、遊技機の技術分野において、遊技管理装置等の外部装置に情報を送信するために、情報に応じた複数の外部端子を遊技機に具備することも、本願出願前から慣用的に行われていた技術事項である（必要ならば、例えば、特開平６−１４２２８４号公報の【００２１】〜【００２８】、特開平６−１７８８５０号公報の【００２３】〜【００２６】を参照のこと。）。
　したがって、刊行物発明において、端子を複数設け、完了個数情報出力手段と予定個数情報出力手段とに設けられた端子を別々の端子とすることは、当業者が容易になし得たものである。
　
（２）上記相違点２について検討する。
　刊行物２には、「この実施の形態では、賞球排出信号の一回の出力に相当する賞球の単位数（所定単位数）を「１０」としたが、これ以外の単位数であってもよい。」（【００５１】）ことが記載されている。この記載によると、賞球排出信号の一回の出力に相当する賞球の単位数（所定単位数）を任意の値に設定すること、すなわち、上記相違点２に係る「払出完了個数情報に基づく信号の出力形態」を「任意に設定可能な構成」について記載されている。
　そして、刊行物発明（３　（１）を参照。）と刊行物２に記載された技術事項（３　（２）を参照。）とは、共に、実際の賞球数を正確に把握できる遊技機を提供するという共通の課題を解決するものである。
　したがって、刊行物発明の賞球予定信号Ｂ、賞球信号Ｐのそれぞれの出力形態として、刊行物２に記載された技術事項を採用して上記相違点２に係る本願発明の構成とすることは当業者が容易になし得たものである。
　
（３）小括
　上記（１）及び（２）において検討したように、本願発明は、当業者が刊行物発明及び刊行物２に記載された技術事項に基づいて容易に発明をすることができたものである。
　また、本願発明により奏される効果は、当業者が、刊行物発明及び刊行物２に記載された技術事項から予測し得る範囲内のものであって、格別のものではない。
　
６　むすび
　以上のとおりであるから、本願発明は、特許法第２９条第２項の規定により特許を受けることができない。
　したがって、本願は、拒絶されるべきものである。
　
　よって、結論のとおり審決する。